【手続補正書】
【提出日】平成28年1月4日(2016.1.4)
【手続補正１】
【補正対象書類名】特許請求の範囲
【補正対象項目名】全文
【補正方法】変更
【補正の内容】
【特許請求の範囲】
【請求項１】
イニシエータユーザ機器,UE(710, 712)のワイヤレス通信の方法であって、
ターゲットエクスプレッションに基づいて、ターゲットUE(706)のネットワークアドレスを判断するステップと、
前記イニシエータUE(710, 712)に関連付けられた情報を含む接続要求を、前記判断されたネットワークアドレスにおける前記ターゲットUE(706)へ送るステップと、
前記ターゲットUE(706)に関連付けられた情報を、前記イニシエータUE(710, 712)にサービスするモビリティ管理エンティティ,MMEへ送るステップと、
前記イニシエータUE(710, 712)にサービスする前記MMEから、前記ターゲットUE(706)と通信するための1つまたは複数のパラメータを受信するステップであって、前記1つまたは複数のパラメータが、前記イニシエータUE(710, 712)にサービスする前記MMEと、前記ターゲットUE(706)にサービスするMMEとによって判断される、ステップと、
前記1つまたは複数のパラメータに基づいて、前記ターゲットUE(706)と通信するステップとを含む方法。
【請求項２】
前記ターゲットUE(706)に関連付けられた前記ターゲットエクスプレッションを識別するステップをさらに含む、請求項1に記載の方法。
【請求項３】
前記イニシエータUE(710, 712)に関連付けられた前記情報が、前記イニシエータUE(710, 712)のネットワークアドレス、前記イニシエータUE(710, 712)のイニシエータエクスプレッション、または前記イニシエータUE(710, 712)にサービスする前記MMEを識別する情報のうちの少なくとも1つを備える、請求項1に記載の方法。
【請求項４】
前記接続要求に応答した接続応答を受信するステップであって、前記接続応答が、前記ターゲットUE(706)にサービスするMMEを識別する情報または前記ターゲットUE(706)の識別子の少なくとも1つを含む、ステップをさらに含む、請求項1に記載の方法。
【請求項５】
前記情報が前記イニシエータUE(710, 712)にサービスする前記MMEへ送られる前に、前記接続応答が受信される場合、前記ターゲットUE(706)に関連付けられた前記情報が、前記接続応答において受信された、前記ターゲットUE(706)にサービスする前記MMEを識別する情報、または前記ターゲットUE(706)の前記識別子のうちの少なくとも1つを備える、請求項4に記載の方法。
【請求項６】
ターゲットユーザ機器,UE(706)のワイヤレス通信の方法であって、
イニシエータUE(710, 712)から、前記イニシエータUE(710, 712)に関連付けられた情報を含む接続要求を受信するステップと、
前記イニシエータUE(710, 712)に関連付けられた前記情報を、前記ターゲットUE(706)にサービスするモビリティ管理エンティティ,MMEへ送るステップと、
前記ターゲットUE(706)にサービスする前記MMEから、前記イニシエータUE(710, 712)と通信するための1つまたは複数のパラメータを受信するステップであって、前記1つまたは複数のパラメータが、前記イニシエータUE(710, 712)にサービスする前記MMEと、前記ターゲットUE(706)にサービスするMMEとによって判断される、ステップと、
前記1つまたは複数のパラメータに基づいて、前記イニシエータUE(710, 712)と通信するステップと
を含む方法。
【請求項７】
前記イニシエータUE(710, 712)に関連付けられた前記情報が、前記イニシエータUE(710, 712)のイニシエータエクスプレッション、または前記イニシエータUE(710, 712)にサービスするMMEを識別する情報のうちの少なくとも1つを備える、請求項6に記載の方法。
【請求項８】
前記接続要求に応答して、接続応答を送るステップであって、前記接続応答が前記ターゲットUE(706)にサービスするMMEを識別する情報または前記ターゲットUE(706)の識別子の少なくとも1つを含む、ステップをさらに含む、請求項6に記載の方法。
【請求項９】
前記情報が前記ターゲットUE(706)にサービスする前記MMEへ送られる前に、前記接続応答が送られる、請求項8に記載の方法。
【請求項１０】
第1のユーザ機器,UE(710, 712)にサービスするモビリティ管理エンティティ,MMEの通信の方法であって、
前記第1のUE(710, 712)から、第2のUE(706)に関連付けられた情報を受信するステップと、
前記受信された情報に基づいて、前記第2のUE(706)にサービスするMMEを判断するステップと、
前記第1のUE(710, 712)および前記第2のUE(706)が互いに通信することを可能にするための1つまたは複数のパラメータを判断するために、前記第2のUE(706)にサービスする前記MMEと通信するステップと、
前記1つまたは複数のパラメータを前記第1のUE(710, 712)へ通信するステップと
を含む方法。
【請求項１１】
前記第2のUE(706)に関連付けられた前記情報が、前記第2のUE(706)のエクスプレッション、または前記第2のUE(706)にサービスする前記MMEを識別する情報のうちの少なくとも1つを備える、請求項10に記載の方法。
【請求項１２】
ワイヤレス通信のためのイニシエータユーザ機器,UE(710, 712)であって、
ターゲットエクスプレッションに基づいて、ターゲットUE(706)のネットワークアドレスを判断するための手段と、
前記イニシエータUE(710, 712)に関連付けられた情報を含む接続要求を、前記判断されたネットワークアドレスにおける前記ターゲットUE(706)へ送るための手段と、
前記ターゲットUE(706)に関連付けられた情報を、前記イニシエータUE(710, 712)にサービスするモビリティ管理エンティティ,MMEへ送るための手段と、
前記イニシエータUE(710, 712)にサービスする前記MMEから、前記ターゲットUE(706)と通信するための1つまたは複数のパラメータを受信するための手段であって、前記1つまたは複数のパラメータが、前記イニシエータUE(710, 712)にサービスする前記MMEと、前記ターゲットUE(706)にサービスするMMEとによって判断される、手段と
を備え、
受信するための前記手段または送るための前記手段のうちの少なくとも1つが、前記1つまたは複数のパラメータに基づいて、前記ターゲットUE(706)と通信するようにさらに構成される、イニシエータUE。
【請求項１３】
ワイヤレス通信のためのターゲットユーザ機器,UE(706)であって、
イニシエータUE(710, 712)から、前記イニシエータUEに関連付けられた情報を含む接続要求を受信するための手段と、
前記イニシエータUE(710, 712)に関連付けられた前記情報を、前記ターゲットUE(706)にサービスするモビリティ管理エンティティ,MMEへ送るための手段と、
前記ターゲットUE(706)にサービスする前記MMEから、前記イニシエータUE(710, 712)と通信するための1つまたは複数のパラメータを受信するための手段であって、前記1つまたは複数のパラメータが、前記イニシエータUE(710, 712)にサービスする前記MMEと、前記ターゲットUE(706)にサービスするMMEとによって判断される、手段と
を備え、
受信するための前記手段または送るための前記手段のうちの少なくとも1つが、前記1つまたは複数のパラメータに基づいて、前記イニシエータUE(710, 712)と安全に通信するようにさらに構成される、ターゲットUE。
【請求項１４】
第1のユーザ機器,UE(710, 712)にサービスするモビリティ管理エンティティ,MMEであって、
前記第1のUE(710, 712)から、第2のUE(706)に関連付けられた情報を受信するための手段と、
前記受信された情報に基づいて、前記第2のUE(706)にサービスするMMEを判断するための手段と、
前記第1のUE(710, 712)および前記第2のUE(706)が互いに通信することを可能にするための1つまたは複数のパラメータを判断するために、前記第2のUE(706)にサービスする前記MMEと通信するための手段と、
前記1つまたは複数のパラメータを前記第1のUE(710, 712)へ通信するための手段と
を備えるMME。
【請求項１５】
請求項１乃至５、６乃至９、１０、または１１のいずれか一項に記載の方法を実行するためのプログラム命令を有するコンピュータプログラム。